(57)【要約】【課題】ベンドアップレスタイプの偏向ヨークにおいて、水平コイルの巻き始め線と巻き終わり部の電位差によるショート対策を機構構造のみで可能とする偏向ヨークを提供することを目的とする。【解決手段】絶縁枠１のブラウン管フェイス面から見てＹ軸上方向の水平コイルの開口部に配線溝を設け、水平コイルの巻き始め線を配線リブ９ａ，９ｂに配線する事により、巻き始め線と巻き終わり部コイルとの絶縁距離を確保し、ショート回避が出来、線タルミ防止リブ１０ａ，１０ｂに配線する事により、線タルミが防止出来る機能をもつものとした。【選択図】　図３
2004063378.tif 000002
【特許請求の範囲】
【請求項１】
ベンドアップレスタイプの偏向ヨークであって、水平コイルおよび垂直コイルのベンドアップを管軸方向に伸ばした形状に使用する絶縁枠を備え、前記絶縁枠の開口部に配線溝を形成し、水平コイルの巻き始め、巻き終わりの電位差によるショート不良を回避することを特徴とする偏向ヨーク。
【請求項２】
ベンドアップレスタイプの偏向ヨークであって、水平コイルおよび垂直コイルのベンドアップを管軸方向に伸ばした形状に使用する絶縁枠を備え、前記絶縁枠の開口部に水平コイル巻き始め線の配線リブを設け、巻き始め線と巻き終わり部の空間距離を配線リブにより確保したことを特徴とする偏向ヨーク。
【請求項３】
ベンドアップレスタイプの偏向ヨークであって、水平コイルおよび垂直コイルのベンドアップを管軸方向に伸ばした形状に使用する絶縁枠を備え、前記絶縁枠の開口部に水平コイル巻き始め線の配線時の線タルミを防止する線タルミ防止リブを設け、配線時の巻き始め線の線タルミを防止するようにしたことを特徴とする偏向ヨーク。
【請求項４】
ベンドアップレスタイプの偏向ヨークであって、水平コイルおよび垂直コイルのベンドアップを管軸方向に伸ばした形状に使用する絶縁枠を備え、前記絶縁枠の開口部に水平コイル巻き始め線の配線時の線規制をする線規制リブを設けたことを特徴とする偏向ヨーク。
【発明の詳細な説明】
【０００１】
【発明の属する技術分野】
本発明は、テレビジョン受像機などの陰極線管（以下ＣＲＴと記す）に設置するベンドアップレスタイプの偏向ヨークに関するものである。
【０００２】
【従来の技術】
ベンドアップレスタイプの偏向ヨークの中には、その絶縁枠に水平コイルの巻き始め線と巻終わり線の配線機構を持つ構成のものが主流であり、以下に従来のベンドアップレスタイプの偏向ヨークについて説明する。図８は従来のベンドアップレスタイプの偏向ヨークの側面図、図９は従来のベンドアップレスタイプの偏向ヨークの絶縁枠の断面図、図１０は従来の絶縁枠の水平コイル挿入方向（開口部側）より見た裏面図、図１１は従来の絶縁枠の正面図である。従来のベンドレスタイプの水平コイルの巻き始め線と、巻き終わり線部の電位差によるショート回避の方法として絶縁部品（絶縁テープ）を使用し、ショート回避を行っている。
【０００３】
図８に示すようにベンドアップレスタイプ偏向ヨークは絶縁枠１の内側に配置され水平偏向磁界を発生する水平コイル２と、絶縁枠１の外側に配置され垂直偏向磁界を発生する垂直コイル３と、垂直コイル３の外側に配置されたフェライトコア４と、絶縁枠１の上部に取り付けられ補正部品等を設ける小カバー５で構成されている。
【０００４】
絶縁枠１は、図９、図１０、図１１に示すように水平コイル挿入方向の開口部に水平コイルの巻き始め線と巻き終わり線の配線処理を行なう配線溝６ａ、６ｂを有し、また巻き始め線と巻き終わり線のショート回避の絶縁を取る為に絶縁部品挿入スペース用、また巻き始め線の配線時の線カミを防止する線カミ防止溝８ａを設けなければならない構成となっていた。
【０００５】
【発明が解決しようとする課題】
上記のような従来の技術では、ショート回避の絶縁を取る為の絶縁部品のスペース用、また配線時の線カミを防止する線カミ防止溝８ａの構造を作らなければならず、また絶縁部品が必要となり作業によるバラツキが発生し、品質上の問題があった。
【０００６】
そこで本発明は、機構構造のみにてショート回避の対策が出来、また絶縁部品が不必要となり、線カミを防止する線カミ防止溝も必要なく、且つまた作業バラツキによる品質問題を機構構造により対処出来、また配線作業性も従来の作業に比べ容易に配線、組立てが可能なベンドアップレスタイプの偏向ヨークを提供することを目的とする。
【０００７】
【課題を解決するための手段】
前記目的を達成するために本発明は、ベンドアップレスタイプの偏向ヨークであって、水平コイルおよび垂直コイルのベンドアップを管軸方向に伸ばした形状に使用する絶縁枠を備え、前記絶縁枠の開口部に配線溝を形成し、水平コイルの巻き始め、巻き終わりの電位差によるショート不良を回避するようにした。
【０００８】
この構成により、機構構造のみにてショート回避の対策が出来、また絶縁部品が必要なくなり、線カミを防止する線カミ防止溝も必要なく、且つまた作業バラツキによる品質問題を機構構造により対処出来、また配線作業性も従来の作業に比べ容易に配線、組立てが可能なベンドアップレスタイプの偏向ヨークを提供できる。
【０００９】
【発明の実施の形態】
請求項１に記載の発明は、ベンドアップレスタイプの偏向ヨークであって、水平コイルおよび垂直コイルのベンドアップを管軸方向に伸ばした形状に使用する絶縁枠を備え、絶縁枠の開口部に配線溝を形成し、水平コイルの巻き始め、巻き終わりの電位差によるショート不良を回避する偏向ヨークであり、ベンドアップレスタイプの偏向ヨークにおける水平コイルの巻き始め線と巻き終わり線部の電位差によるショート対策が配線機構構造のみにて容易に可能となる。
【００１０】
請求項２に記載の発明は、ベンドアップレスタイプの偏向ヨークであって、水平コイルおよび垂直コイルのベンドアップを管軸方向に伸ばした形状に使用する絶縁枠を備え、絶縁枠の開口部に水平コイル巻き始め線の配線リブを設け、巻き始め線と巻き終わり部の空間距離を配線リブにより確保することを特徴とする偏向ヨークである。
【００１１】
請求項３に記載の発明は、ベンドアップレスタイプの偏向ヨークであって、水平コイルおよび垂直コイルのベンドアップを管軸方向に伸ばした形状に使用する絶縁枠を備え、絶縁枠の開口部に水平コイル巻き始め線の配線時の線タルミを防止する線タルミ防止リブを設け、配線時の巻き始め線の線タルミを防止するようにしたことを特徴とする偏向ヨークである。
【００１２】
請求項４に記載の発明は、ベンドアップレスタイプの偏向ヨークであって、水平コイルおよび垂直コイルのベンドアップを管軸方向に伸ばした形状に使用する絶縁枠を備え、絶縁枠の開口部に水平コイル巻き始め線の配線時の線規制をする線規制リブを設けたことを特徴とする偏向ヨークである。
【００１３】
以下本発明の一実施の形態を図面を参照して説明する。図１は本発明の一実施の形態における偏向ヨークの側面図、図２は本発明の一実施の形態における偏向ヨークの絶縁枠の正面図、図３は本発明の一実施の形態における偏向ヨークの絶縁枠を小径部側より見た上面図、図４は本発明の一実施の形態における偏向ヨークの絶縁枠をＣＲＴフェイス面から見たＹ軸上断面図、図５は本発明の一実施の形態における偏向ヨークの絶縁枠を開口部側から見た裏面図、図６は本発明の一実施の形態における水平コイルの巻き始め線、巻き終わり線を配線した絶縁枠の斜視図、図７は本発明の一実施の形態における偏向ヨークの絶縁枠に水平コイルを組込み、水平コイルの巻き始め線、巻き終わり線を配線したものを小径部側（ネック側）より見た上面図である。なお、前記従来の技術と同じ要素には同一符号を付与する。
【００１４】
図１に示すように、このベンドアップレスタイプの偏向ヨークは、絶縁枠１と、この絶縁枠１の内側に配置された水平コイル２と、絶縁枠１の外側に配置された垂直コイル３と、垂直コイル３の外側に配置されたファンネル形状のフェライトコア４と、絶縁枠１の上部に設けられ水平コイルおよび垂直コイルのベンドアップを管軸方向に伸ばした形状に使用するための小カバー５から構成されている。
【００１５】
絶縁枠１は図５及び図６に示すように、ＣＲＴフェイス面から見てＹ軸上の開口部に配線溝７ａ、７ｂを有し、配線溝７ａ、７ｂの側面に配線リブ９ａ、９ｂの溝を設け（図３も参照）、絶縁枠１開口部外周へ巻始め線を導き、外周壁に巻始め線タルミ防止用の線タルミ防止リブ１０ａ、１０ｂのいずれかに巻始め線を通し線規制リブ１１ａ、１１ｂのいずれかに配線する。
【００１６】
絶縁枠１は、図３、図５に示すように水平コイルを絶縁枠１の開口部より開口部内側に挿入組立て（もう片方も同様）、水平コイルの巻終り線は、図３、図６及び図７に示すように、線規制リブ１１ａ、１１ｂへ配線し、巻始め線は前記に述べた配線溝７ａ、７ｂより巻始め線を外周方向へ引出し、尚且つ巻き始め線が巻き終わり部より離れる方向に引出す。もう片方の水平コイルも同様にて、配線リブ９ａ、９ｂの溝高さは、巻始め線と巻終り部の空間距離（絶縁距離）を確実に確保出来る高さとする。
【００１７】
配線リブ９ａ、９ｂの溝に上記の様に配線した後、配線リブ９ａ、９ｂから連なる位置に、線タルミ防止リブ１０ａ、１０ｂを設け、線タルミ防止リブ１０ａ、１０ｂの溝へ配線導く。線タルミ防止リブ１０ａの溝幅は巻き始め線がちょうど配線できる幅とし、配線後、溝形状と同一方向に配線壁１２（図６）を設ける事により、配線した巻き始め線のタルミ防止が出来る（図５及び図７参照）。配線壁１２のＬ字状の線規制リブ１１ａ、１１ｂの下側を通し配線する。上記の構成において、もう片方の水平コイルの配線も同様に行う。上記の配線を行った絶縁枠１を小径部側（ネック側）より見た上面図を図７に示す。この配線作業によれば、水平コイルの巻き始め線と巻き終わり部での、電位差によるショート対策が絶縁枠１の機構構造のみで確実に出来、尚且つ、配線作業性も容易に出来る。
【００１８】
【発明の効果】
以上の説明より明らかなように、本発明はベンドアップレスタイプの偏向ヨークにおいて、水平コイルの巻き始め線と巻き終わり部の絶縁対策が別部品を使用しないで出来、作業による品質不良も発生なく、容易に、かつ確実なものとすることが出来る。
【図面の簡単な説明】
【図１】本発明の一実施の形態における偏向ヨークの側面図
【図２】本発明の一実施の形態における偏向ヨークの絶縁枠の正面図
【図３】本発明の一実施の形態における偏向ヨークの絶縁枠を小径部側より見た上面図
【図４】本発明の一実施の形態における偏向ヨークの絶縁枠をＣＲＴフェイス面から見たＹ軸上断面図
【図５】本発明の一実施の形態における偏向ヨークの絶縁枠を開口部側から見た裏面図
【図６】本発明の一実施の形態における水平コイルの巻き始め線、巻き終わり線を配線した絶縁枠の斜視図
【図７】本発明の一実施の形態における偏向ヨークの絶縁枠に水平コイルを組込み、水平コイルの巻き始め線、巻き終わり線を配線したものを小径部側（ネック側）より見た上面図
【図８】従来のベンドアップレスタイプの偏向ヨークの側面図
【図９】従来のベンドアップレスタイプの偏向ヨークの絶縁枠の断面図
【図１０】従来の絶縁枠の水平コイル挿入方向（開口部側）より見た裏面図
【図１１】従来の絶縁枠の正面図
【符号の説明】
１　絶縁枠
２　水平コイル
３　垂直コイル
４　フェライトコア
５　小カバー
７ａ　配線溝
７ｂ　配線溝
９ａ　配線リブ
９ｂ　配線リブ
１０ａ　線タルミ防止リブ
１０ｂ　線タルミ防止リブ
１１ａ　線規制リブ
１１ｂ　線規制リブ
１２　配線壁
【図１】
2004063378.tif 000003
【図２】
2004063378.tif 000004
【図３】
2004063378.tif 000005
【図４】
2004063378.tif 000006
【図５】
2004063378.tif 000007
【図６】
2004063378.tif 000008
【図７】
2004063378.tif 000009
【図８】
2004063378.tif 000010
【図９】
2004063378.tif 000011
【図１０】
2004063378.tif 000012
【図１１】
2004063378.tif 000013